(57)【特許請求の範囲】
【請求項１】
湯水をミスト噴出手段における噴出ノズルからミスト状に噴出させるように構成された浴用ミスト装置であって、
熱源手段から熱媒循環路を通して供給される熱媒にて給水路を通して供給される水を加熱させる液々熱交換器が浴室側に設けられて、その液々熱交換器にて加熱された湯水を前記ミスト噴出手段に供給させるように構成され、
前記ミスト噴出手段への湯水の供給を断続させる湯水供給断続手段と、
前記液々熱交換器にて前記給水路を通して供給される水をミスト用設定温度に加熱可能となる加熱可能状態を検出する加熱状態検出手段と、
前記熱源手段および前記湯水供給断続手段の作動状態を制御する制御手段とが設けられ、
前記制御手段が、運転の開始が指令されると、前記熱源手段を作動させて、前記熱源手段から前記液々熱交換器への熱媒の供給を開始させたのち、前記加熱状態検出手段にて前記加熱可能状態を検出すると、前記ミスト噴出手段への湯水の供給を開始するように、前記湯水供給断続手段の作動を制御するように構成されている浴用ミスト装置。
【請求項２】
前記液々熱交換器からの湯水を前記ミスト噴出手段に通流するミスト用湯水供給路に残存する残存湯水を、前記ミスト用湯水供給路に外気導入させて、外部に排出させる排水手段が設けられている請求項１に記載の浴用ミスト装置。
【発明の詳細な説明】
【０００１】
【発明の属する技術分野】
本発明は、湯水をミスト噴出手段における噴出ノズルからミスト状に噴出させるように構成された浴用ミスト装置に関する。
【０００２】
【従来の技術】
上記のような浴用ミスト装置は、浴室などに設置され、加熱された湯水をミスト噴出手段からミスト状に浴室内に噴出させることにより、サウナ効果を得るものである。
この種の浴用ミスト装置としては、例えば、バーナの燃焼により加熱した湯水を出湯路に給湯する給湯装置を設けて、その出湯路を台所や洗面所などの給湯栓側とミスト噴出手段側とに分岐させて、給湯装置にて加熱された湯水をミスト噴出手段に供給することにより、給湯装置にて加熱された湯水をミスト噴出手段における噴出ノズルによりミスト状に噴出させるようにしている（例えば、特公平６−９５９６号公報）。
【０００３】
【発明が解決しようとする課題】
しかしながら、上記従来の浴用ミスト装置では、給湯装置にて加熱された湯水をミスト噴出手段における噴出ノズルによりミスト状に噴出させているので、給湯装置による制限を受けて、ミスト状に噴出させるのに適した所望の湯水をミスト噴出手段に供給することができないことがあり、使用者に不快感を与えたり、ランニングコストの増大を招く虞がある。
【０００４】
説明を加えると、バーナの燃焼により水を加熱する給湯装置では、給湯装置にて加熱するときに、最低流量（例えば，３リットル／ｍｉｎ）以上の水を給湯装置に通流させる必要があるので、ミスト噴出手段に供給される湯水の流量は最低流量以上となるが、ミスト噴出手段にて湯水をミスト状に噴出させるために適した流量は、微小量（例えば、１．５リットル／ｍｉｎ）である。
したがって、ミスト噴出手段に供給される湯水の流量は、給湯装置による制限を受けて、所望の流量よりも多くなるので、ミスト噴出手段に供給される湯水をそのままミスト状に噴出させると、そのミスト状に噴出される湯水のミスト粒径が大きくなって、使用者に不快感を与える虞がある。
また、ミスト噴出手段に供給する湯水の一部を外部に排出して、ミスト噴出手段に供給する湯水の水量を微小量とすることにより、ミスト噴出手段における噴出ノズルにてミスト状に噴出される湯水のミスト粒径を所望の大きさにすることができることになるが、この場合には、ミスト噴出手段に供給する湯水の一部を外部に排出する分だけ、ランニングコストが増大することになる。
【０００５】
ちなみに、給湯装置による制限を受けるのは、ミスト噴出手段に供給される湯水の流量に限らず、ミスト噴出手段に供給される湯水の温度についても、給湯装置による制限を受けて、使用者に不快感を与えることになるので、その点について説明を加える。
すなわち、給湯装置にて給湯栓などに給湯するときには、一般的に、給湯設定温度（４０〜６０℃）の湯水を給湯し、給湯装置にてミスト噴出手段に湯水を供給するときには、給湯設定温度よりも高温のミスト用設定温度温度（６０℃以上）の湯水を供給するので、要求されている湯水の温度が、給湯栓とミスト噴出手段とで異なる温度となっている。
したがって、給湯装置にて給湯栓への給湯とミスト噴出手段への湯水の供給を同時に行うときに、給湯装置にて加熱する湯水の温度として、給湯栓側を優先すると、ミスト噴出手段に所望の温度の湯水が供給できず、逆に、ミスト噴出手段側を優先すると、給湯栓に所望の温度の湯水を給湯できないことになり、使用者に不快感を与えることになる。
【０００６】
本発明は、かかる点に着目してなされたものであり、その目的は、使用者に不快感を与えることなく、ランニングコストの低減を図ることが可能となる浴用ミスト装置を提供する点にある。
【０００７】
【課題を解決するための手段】
この目的を達成するために、請求項１に記載の発明によれば、湯水をミスト噴出手段における噴出ノズルからミスト状に噴出させるように構成された浴用ミスト装置において、
熱源手段から熱媒循環路を通して供給される熱媒にて給水路を通して供給される水を加熱させる液々熱交換器が浴室側に設けられて、その液々熱交換器にて加熱された湯水を前記ミスト噴出手段に供給させるように構成され、
前記ミスト噴出手段への湯水の供給を断続させる湯水供給断続手段と、前記液々熱交換器にて前記給水路を通して供給される水をミスト用設定温度に加熱可能となる加熱可能状態を検出する加熱状態検出手段と、前記熱源手段および前記湯水供給断続手段の作動状態を制御する制御手段とが設けられ、
前記制御手段が、運転の開始が指令されると、前記熱源手段を作動させて、前記熱源手段から前記液々熱交換器への熱媒の供給を開始させたのち、前記加熱状態検出手段にて前記加熱可能状態を検出すると、前記ミスト噴出手段への湯水の供給を開始するように、前記湯水供給断続手段の作動を制御するように構成されている。
【０００８】
すなわち、液々熱交換器において熱源手段から熱媒循環路を通して供給される熱媒にて給水路を通して供給される水を加熱させ、その液々熱交換器にて加熱された湯水をミスト噴出手段に供給することにより、液々熱交換器にて加熱された湯水をミスト状に噴出させることになる。
そして、このように構成にすると、液々熱交換器に通流させる水の流量を、ミスト噴出手段における噴出ノズルにてミスト状に噴出させるのに適した流量に調整することにより、ミスト噴出手段に供給される湯水の流量が、ミスト噴出手段における噴出ノズルにてミスト状に噴出させるのに適した所望の流量になる。
したがって、ミスト噴出手段に供給される湯水をそのままミスト状に噴出させても、ミスト噴出手段にてミスト状に噴出される湯水のミスト粒径を所望の大きさにさせることが可能となる。
そして、ミスト噴出手段に供給される湯水をそのままミスト状に噴出させても、ミスト噴出手段における噴出ノズルにてミスト状に噴出される湯水のミスト粒径を所望の大きさにさせることが可能となるので、ミスト噴出手段に供給する湯水の一部を外部に排出しなくてよいことになる。
【０００９】
また、熱源手段は、液々熱交換器のみに熱媒を供給する専用の構成に限らず、液々熱交換器に加えて、床暖房装置や浴室乾燥装置などの暖房端末にも熱媒を供給する兼用の構成とすることができ、その熱源手段にて液々熱交換器に熱媒を供給させることになる。
そして、上述の如く、液々熱交換器において熱源手段から熱媒循環路を通して供給される熱媒にて給水路を通して供給される水を加熱させる構成にすると、液々熱交換器にて加熱された湯水の温度がミスト噴出手段における噴出ノズルにてミスト状に噴出させるのに適した温度になるように、熱源手段から熱媒循環路に通流させる熱媒の温度を調整することにより、ミスト噴出手段に供給される湯水の温度が、ミスト噴出手段にてミスト状に噴出させるのに適した所望の温度になる。
したがって、熱源手段を作動させることにより、ミスト噴出手段における噴出ノズルにて所望の温度の湯水をミスト状に噴出させることが可能となる。
【００１０】
ちなみに、床暖房装置や浴室乾燥装置などの暖房端末において要求される熱媒の温度と、液々熱交換器において要求される熱媒の温度とが同様の温度であるので、熱源手段にて暖房端末と液々熱交換器に同時に熱媒を供給しているときに、暖房端末に所望の温度の熱媒を供給できなかったり、液々熱交換器に所望の温度の熱媒を供給できないという事態の発生を回避できることになる。
【００１１】
以上のことをまとめると、請求項１に記載の発明によれば、ミスト噴出手段に供給される湯水の流量や温度などの条件を、ミスト噴出手段における噴出ノズルにてミスト状に噴出させるのに適した所望の条件とすることが可能となって、使用者に不快感を与えることなく、ランニングコストの低減を図ることが可能となる浴用ミスト装置を提供できるに至った。
【００１３】
また、制御手段が、運転の開始が指令されると、まず、熱源手段を作動させて、熱源手段から液々熱交換器への熱媒の供給を開始させることにより、液々熱交換器にて給水路を通して供給される水をミスト用設定温度に加熱可能となる加熱可能状態にさせるようにして、その後、加熱状態検出手段にて加熱可能状態を検出すると、ミスト噴出手段への湯水の供給を開始するように、湯水供給断続手段を作動させることになる。
そして、このように構成にすると、運転の開始が指令されたときに、液々熱交換器などに冷めた湯水が残存していても、その湯水を液々熱交換器においてミスト用設定温度に加熱したのち、その湯水をミスト噴出手段に供給することが可能となる。
したがって、運転の開始を指令した当初に、ミスト用設定温度よりも低い温度の湯水がミスト噴出手段に供給されることを防止し、ミスト用設定温度よりも低い温度の湯水がミスト状に噴出されるという事態の発生を回避できることになる。
【００１４】
請求項２に記載の発明によれば、前記液々熱交換器からの湯水を前記ミスト噴出手段に通流するミスト用湯水供給路に残存する残存湯水を、前記ミスト用湯水供給路に外気導入させて、外部に排出させる排水手段が設けられている。
【００１５】
すなわち、ミスト噴出手段により湯水をミスト状に噴出させることを停止すると、排水手段が、ミスト用湯水供給路に外気導入させて、ミスト用湯水供給路に残存する残存湯水を外部に排出させることになる。
そして、このように構成すると、ミスト噴出手段による湯水のミスト状の噴出を停止させたときに、ミスト用湯水供給路に残存した残存湯水自体を外部に排出させることにより、ミスト用湯水供給路に湯水を残存させないようにすることが可能となる。
したがって、ミスト用湯水供給路に残存した残存湯水に雑菌が繁殖したり、残存湯水自体が腐食して、残存湯水が汚水となり、その汚水がミスト噴出手段にてミスト状に噴出されるというような事態の発生を回避できることになる。
【００１６】
【発明の実施の形態】
本発明にかかる浴用ミスト装置を浴室空調装置に組み込んだ例を図面に基づいて説明する。
〔第１実施形態〕
この浴室空調装置は、図１〜図３に示すように、浴室１に設置され、浴室１内を空調するための循環ファン２および空調用熱交換器３などを備えた本体ケーシング４、その本体ケーシング４に支持されるミスト噴出手段としてのミスト噴出部５、そのミスト噴出部５に加熱した湯水を供給するための液々熱交換器６および湯水供給断続手段としての湯水断続弁７などを備えた収納ボックス８、本体ケーシング４における空調用熱交換器３と収納ボックス８における液々熱交換器６に熱媒としての温水を供給する熱源手段としての熱源機９、循環ファン２、熱源機９および湯水断続弁７などの作動状態を制御する制御手段としての制御部Ｈなどから構成されている。
【００１７】
前記本体ケーシング４は、浴室１の天井裏に入り込ませた状態で設置され、その設置状態において、ミスト噴出部５を天井１０の表面側に支持させ、浴室１内側において、ミスト噴出部５が支持された本体ケーシング４を覆うグリル板１１が設けられている。
そして、本体ケーシング４は、浴室１内の浴槽の上部に相当する箇所に設置され、浴室１内を暖房する機能、浴室１内を乾燥させる機能、浴室１内の空気を循環通風させる機能、浴室１を換気する機能などを備えて構成されている。
また、グリル板１１には、吸気口１２と吹出口１３とを並設し、ミスト噴出部５に配設された複数の噴出ノズル５ａに対応する位置に、湯水をミスト状に噴出するための複数のミスト噴出口１４が形成されている。
【００１８】
前記本体ケーシング４には、吸気口１２を通して浴室１内の空気を吸引して吹出口１３を通して空気を吹き出すための循環通風路１５、その循環通風路１５に対して通風作用する循環ファン２、循環通風路１５を通風する空気に対して加熱作用する空調用熱交換器３、吹出口１３を通して吹出される空気の吹き出し方向を変更自在な可動ルーバー１６、浴室１内の空気を吸引して排気ダクト１７を通して屋外に排気する換気ファン１８などが備えられている。
そして、可動ルーバー１６は、図示はしないが、通風用電動モータにより浴室１内に吹き出す空気の方向を変更する電動式に構成されている。
【００１９】
前記循環ファン２は、水平軸心周りで回転して、空気の吸引と排気とをともに回転軸芯と直交する方向に沿って行うクロスフローファンにて構成され、回転軸芯方向のほぼ全幅にわたる広い範囲にわたって空調用熱交換器３を通して浴室１内の空気を吸引し、吹出口１３から空調用熱交換器３にて加熱された空気を浴室１に吹き出すように通風作用するように構成されている。
前記換気ファン１８は、縦軸芯周りで回転して、ファンケース１８ａの下方側から空気を吸引して、本体ケーシング４の横一側面に形成した排出口１９を通して排気ダクト１７に向けて空気を通風させるように構成されている。
【００２０】
前記循環ファン２は、循環ファン２を回転させるモータの駆動電圧を変更することによって、浴室１内に通風される空気の通風量が変更されるように構成され、浴室１内に通風される空気の通風量が、予備暖房用の通風量（強状態）とそれよりも小さな入浴中暖房用の通風量（弱状態）とに変更されるように構成されている。
【００２１】
前記収納ボックス８には、熱源機９からの熱媒循環路２０を通して供給される熱媒にて給水路２１を通して供給される水を加熱させる液々熱交換器６、液々熱交換器６からの湯水をミスト噴出部５に通流するミスト用湯水供給路２２を開閉する湯水断続弁７、ミスト用湯水供給路２２から分岐されて端部が外気に開放された大気流入路２３を開閉する外気流入弁２４などが備えられている。
【００２２】
説明を加えると、収納ボックス８には、図３に示すように、熱源機９からの熱媒循環路２０に接続された熱媒供給路２５、および、給水路２１に接続された給水用流路２１ａが備えられ、その熱媒供給路２５が、液々熱交換器側流路２５ａと空調用熱交換器側流路２５ｂとに分岐され、液々熱交換器側流路２５ａに、液々熱交換器６への熱媒の供給を断続させる止水機能付きの液々熱交換器側比例弁２６が設けられている。
そして、液々熱交換器６は、液々熱交換器側流路２５ａを通流する熱媒にて、給水用流路２１ａを通流する水を加熱するように構成され、液々熱交換器６において熱源機９から熱媒循環路２０を通して供給される熱媒にて給水路２１を通して供給される水を加熱させ、その液々熱交換器６にて加熱された湯水をミスト噴出部５に供給することにより、液々熱交換器６にて加熱された湯水をミスト状に噴出させるようにしている。
また、空調用熱交換器側流路２５ｂは、本体ケーシング４側に延びるように配設され、その両端部が本体ケーシング４に備えられた空調用熱交換器３に接続され、空調用熱交換器３への熱媒の供給を断続させる空調用熱交換器側断続弁２７が設けられている。
【００２３】
このようにして、液々熱交換器６と空調用熱交換器３とを並列状態に配設し、熱源機９からの熱媒としての温水（例えば、８０℃の温水）を、液々熱交換器６と空調用熱交換器３とに熱媒循環路２０を通して供給して、熱源機９が、浴室空調装置用の熱源機と浴用ミスト装置用の熱源機とを兼用するように構成されている。
また、浴室空調装置において要求される熱媒の温度と、液々熱交換器６において要求される熱媒の温度とが、例えば、８０℃の同様の温度であるので、熱源機９にて空調用熱交換器３と液々熱交換器６とに同時に熱媒を供給しているときに、空調用熱交換器３に所望の温度の熱媒を供給できなかったり、液々熱交換器６に所望の温度の熱媒を供給できないという事態の発生を回避できることになる。
【００２４】
ちなみに、図示のものでは、液々熱交換器６は、熱媒の流れ方向と水の流れ方向とが対流するようにして、熱媒と水とを熱交換させるように構成されているが、熱媒の流れ方向と水の流れ方向とを同じにするようにすることも可能である。
また、液々熱交換器６の具体的な構造については、各種の構造が適応可能であるが、例えば、熱源機９からの温水を通流させる伝熱管の外周部と給水路２１からの水を通流させる伝熱管の外周部とを接触させる構造や、給水路２１からの水を通流させる伝熱管の外周部の一部と熱源機９からの温水を通流させる伝熱管の内周部の一部とを接触させる二重管構造などが適応可能である。
【００２５】
前記液々熱交換器側流路２５ａには、液々熱交換器６にて給水用流路２１ａを通して供給される水をミスト用設定温度（６０℃以上）に加熱可能となる加熱可能状態を検出する加熱状態検出手段としての熱媒サーミスタ２８が設けられている。
そして、給水用流路２１ａには、給水用流路２１ａを通して液々熱交換器６に通流する水量を調整する止水機能付き水量調整弁２９が設けられている。
また、ミスト用湯水供給路２２には、ミスト出湯温サーミスタ３０が設けられ、このミスト出湯温サーミスタ３０は、本体ケーシング４に備えられている。
【００２６】
また、排水手段が、湯水断続弁７、外気流入弁２４、および、外気流入路２３により構成され、ミスト噴出部５から湯水をミスト状に噴出させたのち、湯水断続弁７を閉弁させかつ外気流入弁２４を開弁させることにより、外気流入路２３を通してミスト用湯水供給路２２に外気導入させて、ミスト用湯水供給路２２に残存する残存湯水をミスト噴出部５に供給して、浴室１内に排出させるように構成されている。
【００２７】
前記ミスト噴出部５は、図４に示すように、ミスト用湯水供給路２２に接続された直管状のミスト供給管５ｂ、および、そのミスト供給管５ｂの長手方向に間隔を隔てて配設された複数の噴出ノズル５ａとを備えて、浴室１の洗い場に向けて湯水をミスト状に噴出するように構成されている。
そして、ミスト供給管５ｂは、その両端部分において、本体ケーシング４にネジ止めされる支持具Ｌなどにて吊り下げ支持され、本体ケーシング４に一体的に設けられ、ミスト供給管５ｂの下流側端部に取り付けられたミスト用電動モータＭにて、ミスト供給管５ｂが水平軸芯周りで回動自在に支持され、そのミスト用電動モータＭにてミスト供給管５ｂを回転させて噴出ノズル５ａによる噴出方向を変更するように構成されている。
【００２８】
前記本体ケーシング４と熱源機９などの作動状態は、マイクロコンピュータを利用した制御部Ｈによって制御され、その制御部Ｈに双方向に通信可能なリモコン操作部Ｒが、浴室１に隣接する脱衣室や台所などに設けられている。
そして、リモコン操作部Ｒには、予備暖房運転モードおよび入浴中暖房運転モードを指令する暖房運転スイッチ３１、換気運転モードを指令する換気運転スイッチ３２、乾燥運転モードを指令する乾燥運転スイッチ３３、涼風運転モードを指令する涼風運転スイッチ３４、ミスト運転モードを指令するミスト運転スイッチ３５などが設けられている。
【００２９】
前記制御部５は、リモコン操作部Ｒの指令に基づいて、暖房運転スイッチ３１が１回押されて予備暖房運転モードとなると予備暖房運転を実行し、暖房運転スイッチ３１が２回押されて入浴中暖房運転モードとなると入浴中暖房運転を実行し、換気運転スイッチ３２がＯＮ操作されると換気運転を実行し、乾燥運転スイッチ３３がＯＮ操作されると乾燥運転を実行し、涼風運転スイッチ３４がＯＮ操作されると涼風運転を実行し、ミスト運転スイッチ３５がＯＮ操作されるとミスト運転を実行するように構成されている。
【００３０】
以下、各運転について説明する。
前記予備暖房運転は、換気ファン１８を停止させかつ循環ファン２を作動させるとともに、熱源機９を作動させて、浴室１内の温度が予備暖房用の設定温度に維持されるように、空調用熱交換器側断続弁２７の開閉を制御して空調用熱交換器３に熱媒としての温水を循環供給し、この空調用熱交換器３により加熱された循環空気を吹出口１３から浴室１内に吹き出すようにしている。
そして、浴室１内に通風される空気の通風量が予備暖房用の通風量となるように循環ファン２を強状態にて作動させるとともに、通風用電動モータにて可動ルーバー１６を揺動させるようにしている。
【００３１】
前記入浴中暖房運転は、上述の予備暖房運転と同様に、換気ファン１８を停止させかつ循環ファン２を作動させるとともに、熱源機９を作動させて、浴室１内の温度が予備暖房用の設定温度に維持されるように、空調用熱交換器側断続弁２７の開閉を制御して空調用熱交換器３に熱媒としての温水を循環供給し、この空調用熱交換器３により加熱された循環空気を吹出口１３から浴室１内に吹き出すようにしている。
そして、浴室１内に通風される空気の通風量が予備暖房用の通風量よりも小さな入浴中暖房用の通風量となるように循環ファン２を弱状態にて作動させるとともに、通風用電動モータにて可動ルーバー１６を揺動させるようにしている。
【００３２】
前記換気運転は、循環ファン２の作動を停止しかつ空調用熱交換器側断続弁２７を閉状態に維持した状態で、換気ファン１８を作動させ、可動ルーバー１６が閉状態となるように通風用電動モータにて可動ルーバー１６の作動状態を調整して、浴室１内から吸引した空気を排気するようにしている。
【００３３】
前記乾燥運転は、循環ファン２を作動させ、かつ、熱源機９を作動させて、浴室１内の温度が乾燥用の設定温度範囲に維持されるように、空調用熱交換器側断続弁２７の開閉を制御して空調用熱交換器３に熱媒としての温水を循環供給するとともに、換気ファン１８を作動させて、浴室１内から吸引した空気の一部を排気ダクト１７を通して屋外に排出させながら、空調用熱交換器３により加熱された循環空気を吹出口１３から浴室１内に吹き出すようにしている。
そして、浴室１内への空気の吹き出し方向が乾燥用吹き出し方向としてほぼ真下の方向となるように、通風用電動モータにて可動ルーバー１６の向きを調整するようにしている。
【００３４】
前記涼風運転は、空調用熱交換器側断続弁２７を閉状態に維持した状態で循環ファン２を作動させるとともに、換気ファン１８を作動させて、浴室１内から吸引した空気の一部を排気ダクト１７を通して屋外に排出させながら、浴室１内から吸引した空気を加熱することなく循環通風路１５を通して浴室１内に吹き出すようにしている。
そして、浴室１内への空気の吹き出し方向が、涼風用吹き出し方向（例えば、洗い場に向く方向）になるように、通風用電動モータにて可動ルーバー１６の向きを調整するようにしている。
【００３５】
前記ミスト運転は、ミスト運転スイッチ３５がＯＮ操作されて、ミスト運転の開始が指令されると、熱源機９を作動させて、液々熱交換器側比例弁２６を開弁させ、熱源機９から液々熱交換器６への熱媒の供給を開始させたのち、熱媒サーミスタ２８の検出温度が加熱用設定温度以上になり、加熱可能状態を検出すると、ミスト噴出部５への湯水の供給を開始するように、湯水断続弁７および水量調整弁２９を開弁させるようにしている。
そして、ミスト噴出部５にてミスト用湯水供給路２２を通して供給される湯水を浴室１内にミスト状に噴出させるとともに、ミスト出湯温サーミスタ３０の検出温度がミスト用設定温度になるように、水量調整弁２９の開度を調整するようにしている。
ちなみに、噴出ノズル５ａの噴出方向は、リモコン操作部Ｒの設定スイッチなどにて変更可能に構成され、具体的には、ミスト用電動モータＭを作動させて、温水供給管５ｂを水平軸芯周りで回転させて、噴出ノズル５ａの噴出方向を変更するように構成されている。
【００３６】
このようにして、ミスト運転において、液々熱交換器６に通流させる水の流量を調整することにより、ミスト噴出部５に供給する湯水の一部を外部に排出しなくても、ミスト噴出部５に供給される湯水の流量を所望の流量として、ミスト噴出部５にてミスト状に噴出される湯水のミスト粒径を所望の大きさにさせ、使用者に不快感を与えることなく、ランニングコストの低減を図るように構成されている。
また、熱源機９を浴室空調装置用の熱源機と浴用ミスト装置用の熱源機とを兼用しながら、熱源機９から液々熱交換器６に熱媒としての温水（例えば、８０℃の温水）を供給し、ミスト噴出部５に供給される湯水の温度を所望の温度として、ミスト噴出部５にて所望の温度の湯水をミスト状に噴出させ、使用者に不快感を与えることを回避するように構成されている。
【００３７】
そして、制御部Ｈは、ミスト運転の開始が指令されたときに、液々熱交換器６に冷めた湯水が残存していても、その湯水を液々熱交換器６においてミスト用設定温度に加熱したのちミスト噴出部５に供給して、ミスト運転の開始を指令した当初に、ミスト用設定温度よりも低い温度の湯水がミスト噴出部５に供給されて、ミスト用設定温度よりも低い温度の湯水がミスト状に噴出されるという事態の発生を回避するように構成されている。
【００３８】
また、ミスト運転中に、ミスト運転スイッチ３５がＯＦＦ操作されて、ミスト運転の停止が指令されると、湯水断続弁７を閉弁させかつ外気流入弁２４を開弁させて、外気流入路２３を通してミスト用湯水供給路２２に外気導入させ、ミスト用湯水供給路２２に残存する残存湯水をミスト噴出部５に供給して浴室１内に排出させる排出処理を実行するようにしている。
【００３９】
すなわち、ミスト噴出部５による湯水のミスト状の噴出を停止させたときに、上述の排出処理を実行することにより、ミスト用湯水供給路２２に外気導入させて、ミスト用湯水供給路２２に残存する残存湯水を浴室１内に排出させて、ミスト用湯水供給路２２に湯水が残存することを防止し、汚水がミスト噴出部５にて浴室１にミスト状に噴出されるというような事態の発生を回避するように構成されている。
【００４０】
前記ミスト運転における制御部Ｈの制御動作について、図５のフローチャートに基づいて説明を加える。
まず、ミスト運転スイッチ３５がＯＮ操作されて、ミスト運転の開始が指令されると、熱源機３を作動させるとともに、液々熱交換器側比例弁２６を開弁させて、熱源機９から液々熱交換器６への熱媒の供給を開始させる（ステップ１，２）。
その後、熱媒サーミスタ２８の検出温度が加熱用設定温度以上になり、加熱可能状態を検出すると、湯水断続弁７および水量調整弁２９を開弁させて、ミスト噴出部５への湯水の供給を開始させ（ステップ３，４）、ミスト出湯温サーミスタ３０の検出温度がミスト用設定温度になるように、水量調整弁２９の開度を調整して、液々熱交換器６への湯水通流量を調整する（ステップ５）。
【００４１】
このようにして、ミスト運転スイッチ３５がＯＦＦ操作されるまで、液々熱交換器６への湯水通流量を調整しながら、ミスト噴出部５にてミスト用設定温度の湯水を浴室１内にミスト状に噴出させる。
そして、ミスト運転スイッチ３５がＯＦＦ操作されて、ミスト運転の停止が指令されると、排出処理を行って、ミスト用湯水供給路２２に残存している残存湯水を浴室１内に排出させる（ステップ６、７）。
【００４２】
また、制御部Ｈは、暖房運転スイッチ３１、涼風運転スイッチ３４、ミスト運転スイッチ３５などの各スイッチが単独でＯＮ操作されると、上述の各運転を実行し、暖房運転スイッチ３１または涼風運転スイッチ３４とミスト運転スイッチ３５とがＯＮ操作されると、上述の入浴中暖房運転、涼風運転のいずれかひとつの運転とミスト運転の同時運転を実行するように構成されている。
【００４３】
〔第２実施形態〕
この第２実施形態は、上記第１実施形態における浴室空調装置の設置箇所および排水手段の構成の別実施形態を示すものであり、図面に基づいて説明する。
ちなみに、その他の構成については、上記第１実施形態と同様であるので、同符号を記すなどにより、その詳細な説明は省略する。
【００４４】
上記第１実施形態では、図３に示すように、浴室空調装置を浴室１の天井１０に設置し、排水手段を、湯水断続弁７、外気流入弁２４、および、外気流入路２３により構成しているが、この第２実施形態では、図６に示すように、外気流入路２３における外気流入弁２４よりも下流側に、空気層形成用ホッパ３７を設けて、浴室空調装置を浴室１の壁面３６に設置し、排水手段を、湯水断続弁７、外気流入弁２４、外気流入路２３、および、空気層形成用ホッパ３７により構成されている。
【００４５】
説明を加えると、本体ケーシング４は、浴室１の壁面３６の内面側に設置される壁掛け式に構成され、その正面部に吸気口１２が形成され、その下面部に吹出口１３が形成されている。
そして、収納ボックス８は、浴室１の壁面３６の外面側に設置され、外気流入路２３には、ミスト噴出部５の配設位置よりも低い位置に、外気流入弁２４および空気層形成用ホッパ３７が設けられている。
【００４６】
また、排水手段としては、湯水断続弁７を閉弁しかつ外気流入弁２４を開弁することにより、ミスト噴出部５から外気がミスト用湯水供給路２２に流入して、ミスト用湯水供給路２２に残存する残存湯水を外気流入路２３に流動させ、その外気流入路２３に流動された残存湯水を空気層形成用ホッパ３７を介して外部に排出するように構成されている。
【００４７】
ちなみに、この第２実施形態では、ミスト用湯水供給路２２における湯水断続弁７よりも上流側に、ミスト出湯温サーミスタ３０を配設し、ミスト出湯温サーミスタ３０を収納ボックス８に備えるようにしている。
【００４８】
〔別実施形態〕
（１）上記第１実施形態では、外気流入路２３に開閉式の外気流入弁２４を設ける例を示したが、この外気流入弁２４に代えて、真空破壊弁であるバキュームブレイカーを設けて実施することも可能である。
【００４９】
（２）上記第１および第２実施形態では、空調用熱交換器３などを備えた本体ケーシング４に加えて、液々熱交換器６などを備えた収納ボックス８を設けるようにしているが、本体ケーシング４に空調用熱交換器３および液々熱交換器６などを備えて、本体ケーシング４のみを設けるようにして実施することも可能である。
【００５０】
（３）上記第１および第２実施形態では、止水機能付き水量調整弁２９、および、湯水断続弁７を設ける例を示したが、止水機能付き水量調整弁２９のみを設けて実施することも可能である。
【００５１】
（４）上記第１および第２実施形態では、本体ケーシング４にミスト噴出部５を支持させて、ミスト噴出部４を本体ケーシング４に一体的に設けるようにしているが、ミスト噴出部５を浴室１の天井に吊り下げ支持するなどして、本体ケーシング４とミスト噴出部５と別体にて構成して実施することも可能である。
【００５２】
（５）上記第１および第２実施形態では、熱媒循環路２０に接続された収納ボックス８の熱媒供給路２５を、液々熱交換器側流路２５ａと空調用熱交換器側流路２５ｂとに分岐させることにより、熱源機９から収納ボックス８を介して空調用熱交換器３に熱媒を供給するように構成されているが、例えば、熱媒循環路２０を、収納ボックス８の熱媒供給路２５に接続する側の流路と空調用熱交換器３に接続する側の流路とに分岐させて、熱源機９から空調用熱交換器３に直接熱媒を供給するように構成することも可能である。
【００５３】
また、上記第１および第２実施形態では、空調用熱交換器側断続弁２７を収納ボックス８に備えるようにしているが、本体ケーシング４に備えるようにしてもよく、空調用熱交換器側断続弁２７の設置箇所については適宜変更が可能である。
【００５４】
（６）上記第１および第２実施形態では、制御部Ｈが、ミスト運転の開始が指令されると、熱媒サーミスタ２８の検出温度が加熱用設定温度以上になることにより、加熱可能状態を検出するようにしているが、例えば、制御部Ｈが、熱源機９から液々熱交換器６への熱媒の供給を開始してから加熱用設定時間が経過することにより、加熱可能状態を検出するようにしてもよく、加熱可能状態を検出する構成については適宜変更が可能である。
【００５５】
（７）上記第１および第２実施形態では、熱源機９を、浴室空調装置用の熱源機と浴用ミスト装置用の熱源機とを兼用するようにしているが、熱源機９を浴用ミスト装置専用の熱源機として実施することも可能である。
【００５６】
（８）上記第１および第２実施形態では、本発明にかかる浴用ミスト装置を浴室空調装置に組み込んだ例を示したが、浴用ミスト装置を単独で浴室１に設置して実施することも可能である。
【図面の簡単な説明】
【図１】第１実施形態における浴室空調装置を設置した浴室の斜視図
【図２】第１実施形態における浴室空調装置の縦断面図
【図３】第１実施形態における浴室空調装置の概略構成図
【図４】第１実施形態におけるミスト噴出部の支持状態を示す図
【図５】ミスト運転における制御動作を示すフローチャート
【図６】第２実施形態における浴室空調装置の概略構成図
【符号の説明】
５                    ミスト噴出手段
６                    液々熱交換器
７                    湯水供給断続手段
７，２３，２４        排水手段
７，２３，２４，３７  排水手段
９                    熱源手段
２０                  熱媒循環路
２１                  給水路
２２                  ミスト用湯水供給路
２８                  加熱状態検出手段
【図１】
0004197889.tif 000002
【図２】
0004197889.tif 000003
【図３】
0004197889.tif 000004
【図４】
0004197889.tif 000005
【図５】
0004197889.tif 000006
【図６】
0004197889.tif 000007